(57)【要約】      （修正有）【課題】高い冷却効果が得られるとともに、着用感に優れ、使いやすい衣服を提供する。【解決手段】インナーシャツの被服本体１は、伸縮性のある生地からなり、着用者の身体に圧をかける。衣服本体１の内側であって、左右の脇下部位、及び、背中側の首下部位に、保冷剤収納用のポケット９が配置される。ポケット９は、伸縮性のある生地からなり、その上部９ａの開口から保冷剤を出し入れすることができる。このようにしたインナーシャツは、着用者の身体に密着するので、ポケット９に収納した保冷剤も着用者の身体に密着して、高い冷却効果が得られる。また、ポケット９は伸縮性を有するので、保冷剤の出し入れがしやすく、また、ポケット９に保冷剤を収納したとき、ポケット９の生地が伸長して、保冷剤に圧をかけた状態になり、保冷剤がずれ動きにくくなる。【選択図】図１
0003219973.tif 000002
【実用新案登録請求の範囲】
【請求項１】
伸縮性のある生地からなり、着用者の身体に圧をかける衣服本体と、
伸縮性のある生地からなり、前記衣服本体の所定の部位に設けられた、保冷剤収納用のポケットとを備えたことを特徴とする衣服。
【請求項２】
前記衣服本体はインナーウェアであることを特徴とする請求項１に記載の衣服。
【請求項３】
前記衣服本体は上着であり、脇下部位に前記ポケットが配置されることを特徴とする請求項１又は２に記載の衣服。
【請求項４】
前記衣服本体は上着であり、背中側の首下部位に前記ポケットが配置されることを特徴とする請求項１乃至３のいずれか１項に記載の衣服。
【請求項５】
前記衣服本体はズボンであり、内股部位に前記ポケットが配置されることを特徴とする請求項１又は２に記載の衣服。
【請求項６】
前記ポケットは、前記衣服本体の内側に設けられることを特徴とする請求項１乃至５のいずれか１項に記載の衣服。
【請求項７】
前記ポケットに保冷剤を収納したとき、前記保冷剤に圧をかけた状態になることを特徴とする請求項１乃至６のいずれか１項に記載の衣服。
【考案の詳細な説明】
【技術分野】
【０００１】
本考案は、保冷剤収納用のポケットを備えた衣服に関する。
【背景技術】
【０００２】
夏場の屋外での作業時等における熱中症対策として、保冷剤収納用のポケットを備えた衣服が実用化されている。例えば特許文献１には、後ろ身頃に冷却体を収容するポケットを設けた被服が開示されている。
【先行技術文献】
【特許文献】
【０００３】
【特許文献１】実用新案登録第３１５５５０５号公報
【考案の概要】
【考案が解決しようとする課題】
【０００４】
しかしながら、保冷剤収納用のポケットを備えた衣服において、衣服と着用者の身体との間に空間ができると、ポケットに収納した保冷剤が身体から離れた状態となり、高い冷却効果が得られない。
【０００５】
また、ポケットに保冷剤を収納した状態で、ポケット内で保冷剤がずれ動くようでは、着用感が悪くなる。一方で、例えばポケットのサイズを保冷剤のサイズに合わせて保冷剤をずれ動きにくくすると、保冷剤の出し入れがしにくく、使いにくいものになる。
【０００６】
本考案は上記のような点に鑑みてなされたものであり、高い冷却効果が得られるとともに、着用感に優れ、使いやすい衣服を提供することを目的とする。
【課題を解決するための手段】
【０００７】
本考案の衣服は、伸縮性のある生地からなり、着用者の身体に圧をかける衣服本体と、伸縮性のある生地からなり、前記衣服本体の所定の部位に設けられた、保冷剤収納用のポケットとを備えたことを特徴とする。
本考案の衣服の他の特徴とするところは、前記衣服本体はインナーウェアである点にある。
本考案の衣服の他の特徴とするところは、前記衣服本体は上着であり、脇下部位、背中側の首下部位に前記ポケットが配置される点にある。
本考案の衣服の他の特徴とするところは、前記衣服本体はズボンであり、内股部位に前記ポケットが配置される点にある。
本考案の衣服の他の特徴とするところは、前記ポケットは、前記衣服本体の内側に設けられる点にある。
本考案の衣服の他の特徴とするところは、前記ポケットに保冷剤を収納したとき、前記保冷剤に圧をかけた状態になる点にある。
【考案の効果】
【０００８】
本考案によれば、高い冷却効果が得られるとともに、着用感に優れ、使いやすい衣服を提供することができる。
【図面の簡単な説明】
【０００９】
【図１】第１の実施形態に係るインナーシャツを示す正面図である。
【図２】第１の実施形態に係るインナーシャツを示す側面図である。
【図３】第１の実施形態に係るインナーシャツを示す背面図である。
【図４】脇下部位のポケットを説明するための図である。
【図５】背中側の首下部位のポケットを説明するための図である。
【図６】第２の実施形態に係るインナーボトムを示す背面図である。
【考案を実施するための形態】
【００１０】
以下、添付図面を参照して、本考案の好適な実施形態について説明する。
（第１の実施形態）
図１乃至図３に、第１の実施形態に係る衣服であるノースリーブタイプのインナーシャツを示す。
本実施形態に係るインナーシャツは、例えば屋外で作業を行う作業者が着用するのに適したものであり、衣服本体１は、前身頃２と、左右の脇身頃３と、左右の肩部４と、後身頃５と、スタンドカラー６とを、ウーリースピンテープ７を用いて縫い合わせて構成される。
インナーシャツの被服本体１は、伸縮性のある生地からなり、着用者の身体に圧をかける。このような衣服は、コンプレッションウェアや着圧ウェアとも呼ばれる。生地の素材は限定されるものではないが、例えばポリエステルやナイロン及びポリウレタンを含む素材とすればよい。
【００１１】
図１、図２に示すように、衣服本体１の内側であって、アームホール８の下、すなわち左右の脇下部位に、保冷剤収納用のポケット９が配置される。ポケット９は、伸縮性のある生地からなり、例えば衣服本体１と同素材が用いられる。ポケット９は、左右及び下部が衣服本体１に縫い合わされ、上部９ａが開口している。なお、ポケット９の左右は、脇身頃３を前身頃２及び後身頃５に縫い合わせるウーリースピンテープ７を利用して衣服本体１に縫い合わせるようにすればよい。
図４に示すように、ポケット９の上部９ａの開口から保冷剤１１を出し入れすることができる。ポケット９の深さは、保冷剤１１の挿脱方向の長さＬよりも深くして、保冷剤１１の全体を収納して覆うようにする。また、ポケット９の幅は、保冷剤１１の幅Ｗと同程度とすればよい。なお、本考案でいう保冷剤とは、アイスパック等とも呼ばれる袋詰め等されたものをいい、公知のものを使用すればよい。
【００１２】
また、図３に示すように、衣服本体１の内側であって、背中側の首下部位に、保冷剤収納用のポケット１０が配置される。ポケット１０は、伸縮性のある生地からなり、例えば衣服本体１と同素材が用いられる。ポケット１０は、左右及び下部が衣服本体１に縫い合わされ、上部１０ａが開口している。なお、本実施形態では、後身頃５が真ん中及び左右の３枚の布を縫い合わせた構成となっており、ポケット１０の左右は、後身頃５を縫い合わせるウーリースピンテープ７を利用して衣服本体１に縫い合わせるようにすればよい。
図５に示すように、ポケット１０の上部１０ａの開口から保冷剤１１を出し入れすることができる。ポケット１０の深さは、保冷剤１１の挿脱方向の長さＬよりも深くして、保冷剤１１の全体を収納して覆うようにする。また、ポケット１０の幅は、保冷剤１１の幅Ｗと同程度とすればよい。
【００１３】
このようにしたインナーシャツは、着用者の身体に密着するので、ポケット９、１０に収納した保冷剤１１も着用者の身体に密着して、高い冷却効果が得られる。特に脇下や首まわりは、太い血管が通り、また、リンパの集まる部分であり、そこを冷やすことにより、効果的に冷却することができる。
【００１４】
また、ポケット９、１０は伸縮性を有するので、ポケット９、１０の幅が保冷剤１１の幅Ｗと同程度であっても、保冷剤１１の出し入れがしやすく、使いやすいものになる。
そして、ポケット９、１０に保冷剤１１を収納したとき、保冷剤１１の厚み分だけポケット９、１０の生地が伸長して、保冷剤１１に圧をかけた状態になる。これにより、保冷剤１１がずれ動きにくくなり、着用感を高めるとともに、保冷剤１１の脱落を防ぐことができる。
【００１５】
以上のように、高い冷却効果が得られるとともに、着用感に優れ、使いやすい衣服を提供することができる。
【００１６】
（第２の実施形態）
第１の実施形態では上着を説明したが、本考案はズボンにも適用することができる。以下では、第１の実施形態と共通する構成要素には同一の符号を付し、その説明を省略し、第１の実施形態との相違点を中心に説明する。
図６に、第２の実施形態に係る衣服であるインナーボトムを示す。
第１の実施形態のインナーウェアと同様、インナーボトムの被服本体１２は、伸縮性のある生地からなり、着用者の身体に圧をかける。
【００１７】
衣服本体１２の内側であって、左右の内股部位、太ももの付け根あたりに、保冷剤収納用のポケット１３が配置される。内股は、太い血管が通り、また、リンパの集まる部分であり、そこを冷やすことにより、効果的に冷却することができる。ポケット１３は、伸縮性のある生地からなり、例えば衣服本体１２と同素材が用いられる。ポケット１３は、左右及び下部が衣服本体１２に縫い合わされ、上部１３ａが開口しており、その開口から保冷剤１１を出し入れすることができる。ポケット１３の深さや幅は、第１の実施形態で説明したポケット９、１０の深さや幅と同様である。
【００１８】
以上、本考案を実施形態と共に説明したが、上記実施形態は本考案を実施するにあたっての具体化の例を示したものに過ぎず、これらによって本考案の技術的範囲が限定的に解釈されてはならないものである。すなわち、本考案はその技術思想、又はその主要な特徴から逸脱することなく、様々な形で実施することができる。また、実施形態を適宜組み合わせてもよい。
上記実施形態で説明したインナーシャツやインナーボトムは一例に過ぎず、そのデザイン等は限定されるものではない。例えば第１の実施形態ではノースリーブタイプを説明したが、半袖タイプや長袖タイプでもよい。
また、上記実施形態では、作業服を想定しているが、その用途は限定されるものではない。例えば病院や家庭等において、解熱の必要のある患者に着用させるような衣服であってもよい。
【符号の説明】
【００１９】
１、１２：衣服本体、９、１０、１３：ポケット、１１：保冷剤
【図１】
0003219973.tif 000003
【図２】
0003219973.tif 000004
【図３】
0003219973.tif 000005
【図４】
0003219973.tif 000006
【図５】
0003219973.tif 000007
【図６】
0003219973.tif 000008